【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
遊技価値の情報を格納する遊技価値情報格納手段と、
複数の図柄を表示する図柄表示手段と、
遊技者による開始操作の検出を行う開始操作検出手段と、
当選役を決定するための当選役決定情報を複数格納する当選役決定情報格納手段と、
前記遊技価値の情報が前記遊技価値情報格納手段に格納されていることを条件に、前記開始操作検出手段により行われる開始操作の検出に基づいて、複数の役のうちから当選役を決定する当選役決定手段と、
前記遊技価値の情報が前記遊技価値情報格納手段に格納されていることを条件に、前記開始操作検出手段により行われる開始操作の検出に基づいて、前記図柄表示手段により表示される図柄の変動を行う図柄変動手段と、
遊技者による停止操作の検出を行う停止操作検出手段と、
前記停止操作検出手段により行われる停止操作の検出と前記当選役決定手段により決定される当選役とに基づいて前記図柄変動手段により行われる図柄の変動の停止制御を行う停止制御手段と、
予め定められた図柄組合せが前記図柄表示手段により表示されることを条件に、所定の遊技価値を遊技者に付与する遊技価値付与手段と、
第１の役に対応する図柄組合せが前記図柄表示手段により表示されること条件に、特定の遊技価値の情報を前記遊技価値情報格納手段に格納する自動格納手段と、
前記当選役決定手段が第２の役を当選役と決定することを条件に、前記図柄表示手段により前記第２の役に対応する図柄組合せが表示されるまでの間、前記第２の役を当選役として持ち越す持越手段と、
前記図柄表示手段が前記第２の役に対応する図柄組合せよりも前記第１の役に対応する図柄組合せを優先して表示することを内容とする優先順位情報を格納する優先順位情報格納手段と、
遊技に関する情報を報知可能に構成された報知手段と、
当選役として前記第２の役が決定されることを条件に、前記第２の役に対応する図柄組合せが表示されるまでの間、前記当選役が前記第２の役であることの報知をするように前記報知手段を制御する報知制御手段と、
を備え、
前記遊技価値付与手段は、前記図柄表示手段により第３の役に対応する図柄組合せが表示されることを条件に、所定の遊技価値を遊技者に付与し、
前記停止制御手段は、前記第１の役及び前記第２の役の両方が当選役であることを条件に、前記優先順位情報に基づいて前記図柄の変動を停止制御して前記第１の役に対応する図柄組合せを前記図柄表示手段に表示し、
前記報知制御手段は、前記当選役決定手段が決定した当選役が前記第１の役及び前記第３の役でないことを条件に、前記報知を開始するように前記報知手段を制御することを特徴とする遊技機。
【請求項２】
請求項１記載の遊技機において、
遊技者による投入操作を検出して投入された遊技価値の情報を前記遊技価値情報格納手段に格納する投入操作検出手段を、さらに備え、
前記特定の遊技価値の情報は、第１の役に対応する図柄組合せが前記図柄表示手段により表示されたときに前記遊技価値情報格納手段に格納されている遊技価値情報であり、
前記優先順位情報格納手段は、前記図柄表示手段が前記第３の役に対応する図組合せよりも前記第２の役及び前記第１の役に対応する図柄組合せを優先して表示することを内容とする優先順位情報を格納し、
前記報知制御手段は、前記所定の遊技価値が前記遊技価値情報格納手段により格納されている遊技価値の情報よりも大きい場合において、前記当選役決定手段が前記第２の役及び前記第３の役の両方を当選役と決定する場合は、前記当選役が第２の役であることの報知を開始するように前記報知手段を制御せずに前記当選役が第３の役であることの報知を行うと共に、
前記所定の遊技価値が前記遊技価値情報格納手段により格納されている遊技価値の情報よりも小さい場合において、前記当選役決定手段が前記第２の役及び前記第３の役の両方を当選役と決定する場合は、前記当選役が第２の役であることの報知を開始するように前記報知手段を制御することを特徴とする遊技機。
【手続補正２】
【補正対象書類名】明細書
【補正対象項目名】０００９
【補正方法】変更
【補正の内容】
【０００９】
（１）  遊技価値の情報を格納する遊技価値情報格納手段と、複数の図柄を表示する図柄表示手段と、遊技者による開始操作の検出を行う開始操作検出手段と、当選役を決定するための当選役決定情報を複数格納する当選役決定情報格納手段と、前記遊技価値の情報が前記遊技価値情報格納手段に格納されていることを条件に、前記開始操作検出手段により行われる開始操作の検出に基づいて、複数の役のうちから当選役を決定する当選役決定手段と、前記遊技価値の情報が前記遊技価値情報格納手段に格納されていることを条件に、前記開始操作検出手段により行われる開始操作の検出に基づいて、前記図柄表示手段により表示される図柄の変動を行う図柄変動手段と、遊技者による停止操作の検出を行う停止操作検出手段と、前記停止操作検出手段により行われる停止操作の検出と前記当選役決定手段により決定される当選役とに基づいて前記図柄変動手段により行われる図柄の変動の停止制御を行う停止制御手段と、予め定められた図柄組合せが前記図柄表示手段により表示されることを条件に、所定の遊技価値を遊技者に付与する遊技価値付与手段と、第１の役に対応する図柄組合せが前記図柄表示手段により表示されること条件に、特定の遊技価値の情報を前記遊技価値情報格納手段に格納する自動格納手段と、前記当選役決定手段が第２の役を当選役と決定することを条件に、前記図柄表示手段により前記第２の役に対応する図柄組合せが表示されるまでの間、前記第２の役を当選役として持ち越す持越手段と、前記図柄表示手段が前記第２の役に対応する図柄組合せよりも前記第１の役に対応する図柄組合せを優先して表示することを内容とする優先順位情報を格納する優先順位情報格納手段と、遊技に関する情報を報知可能に構成された報知手段と、当選役として前記第２の役が決定されることを条件に、前記第２の役に対応する図柄組合せが表示されるまでの間、前記当選役が前記第２の役であることの報知をするように前記報知手段を制御する報知制御手段と、を備え、前記遊技価値付与手段は、前記図柄表示手段により第３の役に対応する図柄組合せが表示されることを条件に、所定の遊技価値を遊技者に付与し、前記停止制御手段は、前記第１の役及び前記第２の役の両方が当選役であることを条件に、前記優先順位情報に基づいて前記図柄の変動を停止制御して前記第１の役に対応する図柄組合せを前記図柄表示手段に表示し、前記報知制御手段は、前記当選役決定手段が決定した当選役が前記第１の役及び前記第３の役でないことを条件に、前記報知を開始するように前記報知手段を制御することを特徴とする遊技機。
【手続補正３】
【補正対象書類名】明細書
【補正対象項目名】００１０
【補正方法】変更
【補正の内容】
【００１０】
（１）記載の遊技機によれば、停止制御手段は、第１の役及び第２の役の両方が当選役であることを条件に、優先順位情報に基づいて図柄の変動を停止制御する。また、報知制御手段は、当選役決定手段が決定した当選役が第１の役及び前記第３の役でないことを条件に、報知を開始するように報知手段を制御する。第１の役及び第２の役の両方が当選役である場合には、第１の役が優先して停止するので、第２の役に対応する図柄組合せを表示させることができない場合がある。他方、当選役決定手段が決定した当選役が第１の役又は前記第３の役である場合は報知を開始しない。したがって、上記報知が開始された場合に、第２の役に対応する図柄組合せを表示させることができないという状況が発生しないようにすることができるので、特に初心者は安心して遊技を楽しむことができる。さらに、第１の役に対応する図柄組合せが図柄表示手段により表示されること条件に、特定の遊技価値の情報が前記遊技価値情報格納手段に格納されるので、遊技者は遊技を継続すると考えられ、上記報知が行われない場合であっても、遊技を止めてしまうことにより本来獲得できたはずの遊技価値を取り逃がすという状況の発生を防止することができる。また、報知制御手段は、当選役決定手段が第２の役及び第３の役の両方を当選役と決定する場合は、報知を開始するように報知手段を制御しない。遊技者にとってみれば、報知が行われた場合には第２の役に対応する図柄組合せを表示させる停止操作を試みるが、その報知が行われないので、第３の役に対応する図柄組合せを表示させる停止操作を試みて所定の遊技価値を得ることができる。
【手続補正４】
【補正対象書類名】明細書
【補正対象項目名】００１１
【補正方法】変更
【補正の内容】
【００１１】
（２）  （１）記載の遊技機において、遊技者による投入操作を検出して投入された遊技価値の情報を前記遊技価値情報格納手段に格納する投入操作検出手段を、さらに備え、前記特定の遊技価値の情報は、第１の役に対応する図柄組合せが前記図柄表示手段により表示されたときに前記遊技価値情報格納手段に格納されている遊技価値情報であり、前記優先順位情報格納手段は、前記図柄表示手段が前記第３の役に対応する図組合せよりも前記第２の役及び前記第１の役に対応する図柄組合せを優先して表示することを内容とする優先順位情報を格納し、前記報知制御手段は、前記所定の遊技価値が前記遊技価値情報格納手段により格納されている遊技価値の情報よりも大きい場合において、前記当選役決定手段が前記第２の役及び前記第３の役の両方を当選役と決定する場合には、前記当選役が第２の役であることの報知を開始するように前記報知手段を制御せずに前記当選役が第３の役であることの報知を行うと共に、前記所定の遊技価値が前記遊技価値情報格納手段により格納されている遊技価値の情報よりも小さい場合において、前記当選役決定手段が前記第２の役及び前記第３の役の両方を当選役と決定する場合には、前記当選役が第２の役であることの報知を開始するように前記報知手段を制御することを特徴とする遊技機。
【手続補正５】
【補正対象書類名】明細書
【補正対象項目名】００１２
【補正方法】変更
【補正の内容】
【００１２】
（２）記載の遊技機によれば、成立する小役の払出に応じて報知をするか否かが決定されるので、遊技者にとってみれば、どの役を成立させることが有利であるか判断でき、遊技を有利に進めることができる。